(57)【要約】【課題】長期経時によってもマグネットが軸筒から脱落することを確実に防止でき、且つ、塵や埃等の付着でマグネットが汚れることを回避できる筆記具を提供する。【解決手段】筆記具１は、軸筒２内にインキを収容し、前記軸筒２の前端に軸筒２内のインキが吐出可能なペン先３を設け、軸筒２の後端開口部に有底筒状の尾栓７を取り付け、尾栓７の内部にマグネット８を収容し、マグネット８が尾栓７の底壁７１を介して被吸着面１０に吸着可能に構成される。軸筒２内に有底筒状のインキ収容筒４を設け、インキ収容筒４の底壁４１と尾栓７の底壁７１との間にマグネット８を収容する。尾栓７の内周面にマグネット８を圧入固着する。尾栓７を透明材料により形成し、マグネット８を外部から視認可能に構成する。【選択図】  図１
2011088338.tif 000002
【特許請求の範囲】
【請求項１】
軸筒内にインキを収容し、前記軸筒の前端に軸筒内のインキが吐出可能なペン先を設け、前記軸筒の後端開口部に有底筒状の尾栓を取り付け、前記尾栓の内部にマグネットを収容し、前記マグネットが尾栓の底壁を介して被吸着面に吸着可能に構成されたことを特徴とする筆記具。
【請求項２】
軸筒内に有底筒状のインキ収容筒を設け、前記インキ収容筒の底壁と尾栓の底壁との間にマグネットを収容した請求項１記載の筆記具。
【請求項３】
尾栓の内周面にマグネットを圧入固着した請求項１または２記載の筆記具。
【請求項４】
尾栓を透明材料により形成し、マグネットを外部から視認可能に構成した請求項１乃至３の何れか一つに記載の筆記具。
【発明の詳細な説明】
【技術分野】
【０００１】
本発明は、筆記具に関する。詳細には、金属板やホワイトボード等の被吸着面に着脱自在に吸着可能なマグネットを備えた筆記具に関する。
【背景技術】
【０００２】
従来、この種の筆記具において、例えば、特許文献１には、筆記具本体の後端にマグネット（磁石）を設けたものが開示されている。
【先行技術文献】
【特許文献】
【０００３】
【特許文献１】実開昭４８−１３８０７８号公報
【発明の概要】
【発明が解決しようとする課題】
【０００４】
前記従来の筆記具は、長期経時によりマグネットと筆記具外面との接着力が緩み、マグネットが筆記具から脱落するおそれがある。
【０００５】
本発明は、前記従来の問題点を解決するものであって、長期経時によってもマグネットが軸筒から脱落することを確実に防止でき、しかも、塵や埃等の付着でマグネットが汚れることを回避できる筆記具を提供しようとするものである。
尚、本発明において、「前」とはペン先側を指し、「後」とはその反対側を指す。
【課題を解決するための手段】
【０００６】
＜１＞本願の第１の発明は、軸筒２内にインキを収容し、前記軸筒２の前端に軸筒２内のインキが吐出可能なペン先３を設け、前記軸筒２の後端開口部に有底筒状の尾栓７を取り付け、前記尾栓７の内部にマグネット８を収容し、前記マグネット８が尾栓７の底壁７１を介して被吸着面１０に吸着可能に構成されたことを要件とする。
【０００７】
前記第１の発明の筆記具１は、尾栓７の内部にマグネット８を収容し、前記マグネット８が尾栓７の底壁７１を介して被吸着面１０に吸着可能に構成されることにより、長期経時によってもマグネット８が軸筒２から脱落することを確実に防止でき、しかも、塵や埃等の付着でマグネット８が汚れることを回避できる。
【０００８】
＜２＞本願の第２の発明は、前記第１の発明において、軸筒２内に有底筒状のインキ収容筒４を設け、前記インキ収容筒４の底壁４１と尾栓７の底壁７１との間にマグネット８を収容したことを要件とする。
【０００９】
前記第２の発明の筆記具１は、インキ収容筒４の底壁４１と尾栓７の底壁７１との間にマグネット８を収容したことにより、前記インキ収容筒４の底壁４１によりマグネット８の前方への移動を抑止できる。
【００１０】
＜３＞本願の第３の発明は、前記第１の発明または第２の発明において、尾栓７の内周面にマグネット８を圧入固着したことを要件とする。
【００１１】
前記第３の発明の筆記具１は、尾栓７の内周面にマグネット８を圧入固着したことにより、マグネット８の前後のがたつきを抑止できる。
【００１２】
＜４＞本願の第４の発明は、前記第１、第２または第３の発明において、尾栓７を透明材料により形成し、マグネット８を外部から視認可能に構成したことを要件とする。
【００１３】
前記第４の発明の筆記具１は、尾栓を透明材料により形成し、マグネット８を外部から視認可能に構成したことにより、内部のマグネット８の有無を容易に確認でき、組立工程においてマグネット８無し不良（マグネット８の挿入忘れ）の発生を未然に防ぐことができる。
【発明の効果】
【００１４】
本発明の筆記具は、長期経時によってもマグネットが軸筒から脱落することを確実に防止でき、しかも、塵や埃等の付着でマグネットが汚れることを回避できる。
【図面の簡単な説明】
【００１５】
【図１】本発明の筆記具の実施の形態を示す縦断面図である。
【図２】図１の筆記具を鉛直方向に立設された被吸着面に吸着した状態の図である。
【発明を実施するための形態】
【００１６】
本発明の実施の形態の筆記具１を図１及び図２に示す。
本実例の形態の筆記具１は、ペン先３と、前記ペン先３後端に接続されるインキ吸蔵体５と、前記インキ吸蔵体５の後方に配置される中間部材６と、前記中間部材６の後方に配置されるインキ収容筒４と、前端部で前記ペン先３を保持し且つ内部に前記インキ吸蔵体５、前記中間部材６、及び前記インキ収容筒４前部を収容する軸筒２と、前記軸筒２の後端開口部に着脱自在に螺着される尾栓７と、前記尾栓７内に収容されるマグネット８と、軸筒２のペン先３側外面及び尾栓７の後端部外面に着脱自在に装着されるキャップ９とからなる。
【００１７】
・ペン先
前記ペン先３は、合成樹脂製繊維（例えば、ポリエステル繊維、アクリル繊維、ナイロン繊維等）の樹脂加工により得られる棒状体である。前記ペン先３の前端は、砲弾状に研削される。前記ペン先３の後端部外周面は、テーパ状に面取りされる。
【００１８】
・インキ吸蔵体
前記インキ吸蔵体５は、円柱状の合成樹脂製繊維（例えば、ポリエステル繊維）の加工体よりなる。前記インキ吸蔵体５の前端面の軸心にペン先３の後端が突き刺し挿入され、前記ペン先３の後端が前記インキ吸蔵体５の内部前方に位置される。尚、本発明では、前記インキ吸蔵体５を設ける代わりに、ペン先３とインキ収容筒４との間に、インキ収容筒４の内圧上昇に応じた溢出インキを一時的に保持する櫛歯状のインキ保溜部材を設けてもよい。
【００１９】
・軸筒
前記軸筒２は、合成樹脂（例えば、ポリプロピレン、ポリエチレン等）の射出成形により得られる筒状体である。前記軸筒２の先細状の前端部にペン先３外周面が保持され、前記軸筒２の後端開口部内周面に雌ネジ部が形成される。
【００２０】
・中間部材
前記中間部材６は、合成樹脂（例えば、ポリプロピレン、ポリエチレン等）の射出成形により得られる。前記中間部材６は、前記インキ吸蔵体５とインキ収容筒４とを区画する隔壁６１と、前記隔壁６１の前面より前方に突出され且つインキ吸蔵体５の内部に突き刺し接続される複数本（具体的には２本）の連通管６２と、前記隔壁６１の後面より後方に突出され且つインキ収容筒４の前端開口部に挿着される接続管６３と、前記隔壁６１の前面より前方に突出し且つ軸筒２５内面に固着される取付筒部６４とを備える。前記接続管６３には栓体４２の片側を押圧するため突片６５が一体に形成される。前記隔壁６１の前面には、板状のリブよりなる規制壁部６６が一体に形成される。前記規制壁部６６がインキ吸蔵体５の後端面と当接される。前記インキ収容筒４は交換可能である。
【００２１】
・インキ収容筒
前記インキ収容筒４は、前端が開口され且つ後端が閉鎖された有底筒状体であり、透明合成樹脂（例えばポリプロピレン）の射出成形またはブロー成形により得られる。前記インキ収容筒４内には、直にインキが貯溜される。前記インキ収容筒４内に貯溜されるインキは、例えば、ボードマーカー用のインキ（筆記板用インキ）が挙げられる。
【００２２】
前記インキ収容筒４の前端開口部内面には、中間部材６の接続管６３外面が着脱自在に嵌着される。前記インキ収容筒４のインキが消費され筆記不能となった場合、前記インキ収容筒４を接続管６３から取り外し、内部にインキが充填された新たなインキ収容筒４の前端開口部に接続管６３を挿着する。それにより、再び、筆記可能となる。前記新たなインキ収容筒４の前端開口部は、栓体４２により閉鎖されている。接続管６３をインキ収容筒４の前端開口部に挿着した際、前記接続管６３の突片６５が栓体４２を後方に押圧し、栓体４２を外し、インキ収容筒４の前端開口部が開栓される。
【００２３】
・尾栓
前記尾栓７は、前端が開口され且つ後端が閉鎖された有底筒状体からなり、透明な合成樹脂（例えばポリプロピレン）の射出成形により得られる。
【００２４】
前記尾栓７の前部外周面には、軸筒２の後端開口部内面に取付可能な雄ネジ部が形成され、前記雄ネジ部が軸筒２の後端開口部内周面の雌ネジ部と着脱可能に螺合される。
【００２５】
前記尾栓７の後端部は、縮径部７２が形成される。前記尾栓７の底壁７１、前記縮径部７２の周壁、及びインキ収容筒４の底壁４１によってマグネット８が収容される空間が形成される。前記縮径部７２の内周面にマグネット８が圧入固着され、前記空間にマグネット８が収容される。前記尾栓７内にインキ収容筒４の後部が収容され、インキ収容筒４の底壁４１が尾栓７の縮径部７２近傍に位置している。尚、前記マグネットの形状は、例えば、円柱状、円板状、多角柱状等が挙げられる。
【００２６】
前記縮径部７２の内径（またはマグネット８の外径）は、インキ収容筒４の後端の外径より小さい内径を有する。それにより、尾栓７の後端部の外径を細くでき、優れた外観を得ることができる。
【００２７】
また、前記尾栓７を透明材料により構成し、マグネット８を外部から視認可能に構成したことにより、内部のマグネット８の有無を容易に確認でき、組立工程においてマグネット８無し不良（マグネット８の挿入忘れ）の発生を未然に防ぐことができる。尚、前記尾栓７を構成する透明材料は、半透明材料を含む。
【００２８】
前記縮径部７２の外周面に、ペン先３側から取り外したキャップ９が着脱自在に嵌着される。前記キャップ９は、一端が開口され且つ他端が閉鎖された有底筒状体からなり、合成樹脂（例えばポリプロピレン、ポリエチレン）の射出成形により得られる。
【００２９】
図２に、本実施の形態の筆記具１を、鉛直方向に立設された被吸着面１０（ホワイトボード等の筆記板）に吸着した状態を示す。筆記具１は、尾栓７内のマグネット８によって尾栓７の底壁７１を介して被吸着面１０に吸着される。このとき、筆記具１は、略水平状態且つ被吸着面１０に対して略垂直状態に保持される。これにより、この状態で筆記具１を長期保管しても、筆記具１内のインキ吸蔵体５に含浸されたインキの顔料成分がペン先３側や尾栓７側に移動してインキ出不良となる不具合を解消でき、しかも、筆記具１を容易に把持することができる。
【００３０】
本実施の形態の筆記具１は、尾栓７の内部にマグネット８を収容し、前記マグネット８が尾栓７の底壁７１を介して被吸着面１０に吸着可能に構成されることにより、長期経時によってもマグネット８が軸筒２から脱落することを確実に防止でき、しかも、塵や埃等の付着でマグネット８が汚れることを回避できる。
【００３１】
本実施の形態の筆記具１は、インキ収容筒４の底壁４１と尾栓７の底壁７１との間にマグネット８を収容したことにより、前記インキ収容筒４の底壁４１によりマグネット８の前方への移動を抑止できる。
【００３２】
本実施の形態の筆記具１は、尾栓７の内周面にマグネット８を圧入固着したことにより、マグネット８の前後のがたつきを抑止でき、しかも、インキ収容筒４の交換時、軸筒２の後端開口部から尾栓８を取り外しても、マグネット８が尾栓７内から脱落することを防止できる。
【符号の説明】
【００３３】
１  筆記具
２  軸筒
３  ペン先
４  インキ収容筒
４１  底壁
４２  栓体
５  インキ吸蔵体
６  中間部材
６１  隔壁
６２  連通管
６３  接続管
６４  取付筒部
６５  突片
６６  規制壁部
７  尾栓
７１  底壁
７２  縮径部
８  マグネット
９  キャップ
１０  被吸着面
【図１】
2011088338.tif 000003
【図２】
2011088338.tif 000004